(57)【要約】【課題】ユーザが設定の誤りに気づかずに、再生された映像や音声を視聴しつづけるのを防止し、且つ視聴しているユーザに不快感を与えることがない再生装置を提供する。【解決手段】ＤＶＤプレーヤ１は、本体にセットされたＤＶＤ１０の再生時に、定期的に本体の設定内容を示す映像を、ＤＶＤ１０の再生映像に合成した合成映像を出力する。これにより、本体に設定されている再生信号の出力形式の設定内容をユーザに確認させることができ、ユーザが誤った設定でＤＶＤ１０を視聴しつづけるのを防止できる。また、ユーザがＤＶＤプレーヤ１本体や、セットしたＤＶＤ１０の不良であると勘違いすることも防止できる。【選択図】図１
2004079070.tif 000002
【特許請求の範囲】
【請求項１】
本体にセットされた光ディスクに記録されている映像データ、および音声データを読み取る読取手段と、
上記読取手段が読み取った映像データ、および音声データに基づく映像信号、および音声信号を再生信号として出力する出力手段と、
上記出力手段が出力する上記再生信号の形式を設定する出力形式設定手段と、を備えた光ディスク再生装置において、
光ディスクの再生においてチャプタまたはタイトルが切り換わったとき、上記出力形式設定手段により設定されている上記再生信号の出力形式の内容を示す映像と、上記読取手段が読み取った映像データに基づく映像と、を重ね合わせた合成映像を生成する合成映像生成手段と、
本体にセットされている光ディスクの再生時に定期的に上記合成映像生成手段を動作させ、上記合成映像生成手段が生成した合成映像を上記出力手段から出力する制御手段と、
上記制御手段に対して、再生時に定期的に上記合成映像生成手段を動作させるかどうかを設定する制限手段と、を備え、
上記合成映像生成手段は、上記出力形式設定手段により設定されている上記再生信号の出力形式が、上記読取手段が読み取った映像データに基づく映像の上方に表示される合成映像を生成する光ディスク再生装置。
【請求項２】
本体にセットされた記録媒体に記録されている映像データ、および音声データを読み取る読取手段と、
上記読取手段が読み取った映像データ、および音声データに基づく映像信号、および音声信号を再生信号として出力する出力手段と、
上記出力手段が出力する上記再生信号の形式を設定する出力形式設定手段と、を備えた再生装置において、
上記出力形式設定手段により設定されている上記再生信号の出力形式の内容を示す映像と、上記読取手段が読み取った映像データに基づく映像と、を重ね合わせた合成映像を生成する合成映像生成手段と、
本体にセットされている記録媒体の再生時に定期的に上記合成映像生成手段を動作させ、上記合成映像生成手段が生成した合成映像を上記出力手段から出力する制御手段と、を備えた再生装置。
【請求項３】
上記制御手段に対して、再生時に定期的に上記合成映像生成手段を動作させるかどうかを設定する制限手段を備えた請求項２に記載の再生装置。
【請求項４】
上記合成映像生成手段は、上記出力形式設定手段により設定されている上記再生信号の出力形式が、上記読取手段が読み取った映像データに基づく映像の上方に表示される合成映像を生成する請求項２または３に記載の再生装置。
【発明の詳細な説明】
【０００１】
【発明の属する技術分野】
この発明は、本体にセットされた記録媒体、特にＤＶＤ、に記録されている映像データおよび音声データに基づく映像、および音声についての再生信号を出力する光ディスク再生装置および再生装置に関する。
【０００２】
【従来の技術】
従来、本体にセットされたＤＶＤに記録されている映像データ、および音声データを読み取り、ここで読み取った映像データ、および音声データに基づく再生信号（映像信号、および音声信号）を出力するＤＶＤプレーヤがあった。一般的なＤＶＤプレーヤには、画面アスペクト比（４：３または１６：９）、音声ストリーム（ＰＣＭ、ドルビーディジタル（登録商標）等）、字幕ストリーム（日本語、英語等）、ペアレンタルロック（年齢による視聴制限）等、複数の項目について、本体から出力される映像信号、および音声信号の出力形式を設定する機能が設けられている。
【０００３】
例えば、所謂ワイド画面で映像を視聴したいユーザは、画面アスペクト比を１６：９に設定する。また、暴力シーン等を子供に視聴させたくないユーザは、ペアレンタルロック機能でそのようなシーンが再生されないように設定する。また、音声については、ドルビーディジタルの５．１ｃｈサラウンドや２ｃｈ、ＰＣＭ９６ｋＨｚ、ＰＣＭ４８ｋＨｚ等、音声を出力するスピーカの配置等に応じて設定する。
【０００４】
このように、ＤＶＤプレーヤでは、本体から出力される映像信号、および音声の再生信号の出力形式をユーザが自由に設定できるので、ユーザが自分の好みあった出力形式の映像、音声を楽しむことができる。
【０００５】
なお、再生するＤＶＤに記録されている映像データ、および音声データの形式により、これらの設定が有効に機能しないこともある。例えば、ＤＶＤにＰＣＭで音声データが記録されている場合に、ＤＶＤプレーヤ側の設定がドルビーディジタルである場合に機能しない。
【０００６】
また、上述のようにＤＶＤプレーヤは、映像信号、および音声信号の出力形式を設定する設定項目が複数あるので、現在の設定内容を表示して、設定に誤りがないかをユーザに確認させる機能が設けられている。
【０００７】
【発明が解決しようとする課題】
しかしながら、設定内容を表示して確認するには、本体またはリモコンで所定の入力操作を行わなければならず、設定内容を確認することなく本体にＤＶＤをセットし、再生を開始するユーザも多い。この場合、ユーザが設定の誤りに気づかずに、再生された映像や音声を視聴しつづけるという問題があった。
【０００８】
また、本体の設定が、本体にセットされたＤＶＤに記録されている映像データや音声データの形式に適合していない場合、再生時に音声が出力されないこともあり、このような場合にユーザがＤＶＤプレーヤ本体や、セットしたＤＶＤの不良であると勘違いすることが多く、メーカ側ではユーザからのクレームの対応に手間がかかるという問題があった。
【０００９】
なお、特開２００１−１０３４０７には、再生時に本体の動作状態を表示させる装置が記載されているが、常に動作状態が表示されていると、この表示が視聴している映像に重なり、視聴しているユーザに不快感を与える。また、特開２００１−２７３７５２には、待機時に本体の動作状態を表示する装置が記載されているが、設定状態を確認するには再生を一時停止しなければならず、結果的に視聴の妨げになる。
【００１０】
この発明の目的は、ユーザが設定の誤りに気づかずに、再生された映像や音声を視聴しつづけるのを防止し、且つ視聴しているユーザに不快感を与えることがない再生装置、特に光ディスクを再生する光ディスク再生装置を提供することにある。
【００１１】
【課題を解決するための手段】
この発明の再生装置は、上記課題を解決するために以下の構成を備えている。
【００１２】
（１）本体にセットされた記録媒体に記録されている映像データ、および音声データを読み取る読取手段と、
上記読取手段が読み取った映像データ、および音声データに基づく映像信号、および音声信号を再生信号として出力する出力手段と、
上記出力手段が出力する上記再生信号の形式を設定する出力形式設定手段と、を備えた再生装置において、
上記出力形式設定手段により設定されている上記再生信号の出力形式の内容を示す映像と、上記読取手段が読み取った映像データに基づく映像と、を重ね合わせた合成映像を生成する合成映像生成手段と、
本体にセットされている記録媒体の再生時に定期的に上記合成映像生成手段を動作させ、上記合成映像生成手段が生成した合成映像を上記出力手段から出力する制御手段と、を備えている。
【００１３】
この構成では、制御手段が本体にセットされている記録媒体の再生時に定期的に、再生信号の出力形式についての設定内容を示す映像と、本体にセットされ再生されている記録媒体に記録されている映像データに基づく映像と、を重ね合わせた合成映像を、合成映像生成手段に生成させる。合成映像生成手段が生成した合成映像は出力手段から出力される。
【００１４】
これにより、本体にセットされている記録媒体を再生し、視聴しているユーザに本体の設定内容を確認させることができ、ユーザが設定の誤りに気づかずに、再生された映像や音声を視聴しつづけるのを防止できる。また、ユーザが装置本体や、セットした記録媒体の不良であると勘違いすることも防止できる。さらに、再生時に常時、設定内容を表示させるのではなく、定期的に表示させるようにしているので、視聴しているユーザに不快感を与えることがない。
【００１５】
したがって、設定の誤りや、記録媒体に記録されているデータ形式にあっていない設定の修正をユーザに適正に行わせることができ、ユーザに自分の好みに合った視聴を楽しませることができる。
【００１６】
（２）上記制御手段に対して、再生時に定期的に上記合成映像生成手段を動作させるかどうかを設定する制限手段を備えている。
【００１７】
この構成では、制限手段により、合成映像生成手段の動作を制限できるようにしたので、設定の確認が不要で、また設定内容の表示が視聴の妨げになると感じるユーザにも対応できる。
【００１８】
（３）上記合成映像生成手段は、上記出力形式設定手段により設定されている上記再生信号の出力形式が、上記読取手段が読み取った映像データに基づく映像の上方に表示される合成映像を生成する。
【００１９】
この構成では、設定されている再生信号の出力形式を、映像の上方に表示するようにしているので、映像の下方に表示される字幕に重なって表示されることがない。したがって、本体の設定内容を、見やすく表示できる。
【００２０】
【発明の実施の形態】
以下、この発明の実施形態であるＤＶＤプレイヤについて説明する。
【００２１】
図１は、この実施形態のＤＶＤプレイヤの構成を示すブロック図である。
【００２２】
ＤＶＤプレイヤ１は、本体の動作を制御する制御部２と、本体にセットされたＤＶＤ１０に記録されている映像データおよび音声データを読み取る読取部３と、読取部３で読み取った映像データ、および音声データをデコードするデータ処理部４と、本体に対して設定されている再生信号の出力形式を示す設定情報を記憶する設定情報記憶部５と、データ処理部４で処理された映像データに基づく映像と、設定情報を示す映像とを重ね合わせた合成映像を生成する映像合成部６と、再生信号（映像信号、および音声信号）を出力する出力部７と、本体に対する入力を受け付ける入力部８と、を備えている。
【００２３】
入力部８には、本体に設けられた操作キーや、リモコン装置（不図示）から送信されてきた入力コードを受信する受信部が含まれている。設定情報記憶部５には、出力部７から出力する再生信号の出力形式を示す情報が含まれている。具体的には、画面アスペクト比（４：３または１６：９）、音声ストリーム（ＰＣＭ、ドルビーディジタル等）、字幕ストリーム（日本語、英語、ＯＦＦ等）、ペアレンタルロック（年齢による視聴制限）等が設定されている。映像合成部６は、設定情報記憶部５に記憶されている設定情報を示す映像と、本体にセットされているＤＶＤ１０から読み取った映像データに基づく映像と、を重ね合わせた合成画像を生成する。
【００２４】
なお、ここで言う再生信号の出力形式とは、出力する映像信号、および音声信号の形式だけでなく、映像信号や音声信号の出力禁止等の制限も含んでいる。また、映像合成部６が動作していないときにはデータ処理部４で処理された映像データに基づく映像が出力部７から出力される。
【００２５】
ＤＶＤ１０には、図２に示すように、１つまたは複数のタイトルが記録されている。また、タイトルは１つまたは複数のチャプタで構成されている。通常、タイトルは、映画等、１つの作品であり、チャプタはタイトルである作品の章である。
【００２６】
また、ＤＶＤ１０は、音声データが音声ストリームにＰＣＭで記録されているものもあれば、ドルビーディジタルで記録されているものもある。このため、音声データが音声ストリームにＰＣＭで記録されているＤＶＤ１０を再生する場合と、音声データが音声ストリームにドルビーディジタルで記録されているＤＶＤ１０を再生する場合と、で出力部７から出力する再生信号（音声信号）の出力形式の設定を変更する必要がある。
【００２７】
なお、この設定が適正になされていない場合、出力部７から音声信号が出力されないこともある。
【００２８】
また、記録されている映像が画面アスペクト比４：３の映像であるＤＶＤ１０を再生する場合と、記録されている映像が画面アスペクト比１６：９の映像であるＤＶＤ１０を再生する場合と、で出力部７から出力させる再生信号（映像信号）の出力形式の設定を変更する必要がある。具体的には、記録されている映像が画面アスペクト比４：３の映像であるＤＶＤ１０を再生する場合に、本体の設定が画面アスペクト比１６：９であれば表示される映像が横方向に延びた映像となり、反対に記録されている映像が画面アスペクト比１６：９の映像であるＤＶＤ１０を再生する場合に、本体の設定が画面アスペクト比４：３であれば表示される映像が縦方向に延びた映像となる。
【００２９】
次に、この実施形態にかかるＤＶＤプレーヤ１の再生動作について説明する。図３はこの実施形態にかかるＤＶＤプレーヤの再生動作を示すフローチャートである。図３に示す処理は、本体にＤＶＤ１０がセットされている状態で、入力部８において再生開始を指示する入力があったときや、本体にＤＶＤ１０がセットされたときに開始される。
【００３０】
ＤＶＤプレーヤ１０は、読取部３において本体にセットされているＤＶＤ１０から映像データ、および音声データの読み取りを開始する（ｓ１）。データ処理部４は、読取部３が読み取った映像データ、および音声データをエンコードするとともに、設定情報記憶部５に記憶されている再生信号の出力形式に応じた形式のデータに変換し、出力する。データ処理部４から出力されるデータはディジタルデータである。データ処理部４から出力された音声データ、および映像データは映像合成部６に入力される。
【００３１】
ＤＶＤプレーヤ１は、本体に設定されている再生信号の出力形式の表示出力が有効に設定されているか、無効に設定されているかを判断する（設定内容表示が有効であるかどうかを判断する。）（ｓ２）。ＤＶＤプレーヤ１は、ｓ２で有効であると判断すると、以下の処理を実行する。
【００３２】
映像合成部６が動作を開始し、設定情報記憶部５に記憶されている再生信号の出力形式を示す映像を作成し、ここで作成した映像とデータ処理部４から入力された映像信号に基づく映像と、を合成した合成映像を作成し（ｓ３）、この合成映像の映像データ、およびデータ処理部４から入力された音声データを出力部７に入力する。出力部７は、入力された映像データ、および音声データをＤ／Ａ変換したアナログ信号（再生信号）を出力する（ｓ４）。
【００３３】
したがって、出力部７から出力された映像信号が入力された表示装置の画面には、ＤＶＤプレーヤ１にセットされたＤＶＤ１０に記録されている映像データに基づく映像に、ＤＶＤプレーヤ１本体に設定されている再生信号の出力形式（設定内容）を示す映像を重ねた合成映像が表示される。
【００３４】
ＤＶＤプレーヤ１は本体にセットされているＤＶＤ１０の再生開始から所定時間（例えば、１０秒）経過すると（ｓ５）、映像合成部６における合成映像の作成を停止し、ＤＶＤプレーヤ１にセットされたＤＶＤ１０に記録されている映像データに基づく映像（本体の設定内容が表示されない通常映像）を出力する（ｓ６）。
【００３５】
具体的には、ＤＶＤプレーヤ１は映像合成部６における合成映像の作成を停止すると、映像合成部６に入力された映像データ、および音声データは、そのまま出力部７に入力する。したがって、出力部７から出力された映像信号が入力された表示装置の画面には、ＤＶＤプレーヤ１にセットされたＤＶＤ１０に記録されている映像データに基づく映像（通常の映像）が表示されるだけで、ＤＶＤプレーヤ１本体の設定内容については表示されない。
【００３６】
その後、本体にセットされているＤＶＤ１０の再生において、チャプタが切り換わるか（ｓ７）、または再生停止の入力があるのを待つ（ｓ８）。ｓ７でチャプタが切り換わったと判断すると、ｓ３に戻って上記処理を繰り返す。また、ｓ８で再生停止の入力があったと判断すると、本体にセットされているＤＶＤ１０の再生動作を停止し（ｓ９）、本処理を終了する。
【００３７】
また、ｓ２で本体に設定されている再生信号の出力形式の表示出力が無効に設定されていると判断すると、映像合成部６が入力された映像データ、および音声データを、そのまま出力部７に入力する通常の再生動作を開始する（ｓ１０）。その後、ＤＶＤプレーヤ１は、再生停止の入力があると（ｓ１１）、ｓ９で再生動作を停止し、本処理を終了する。
【００３８】
このように、この実施形態のＤＶＤプレーヤ１では、本体にセットされているＤＶＤ１０の再生開始時、およびチャプタの変化時に、本体に設定されている再生信号の出力形式の設定内容を表示する。言い換えれば、本体にセットされているＤＶＤ１０の再生時に、定期的に繰り返し本体に設定されている再生信号の出力形式の設定内容を表示している。これにより、本体に設定されている再生信号の出力形式の設定内容をユーザに確認させることができ、ユーザが誤った設定でＤＶＤ１０を視聴しつづけるのを防止できる。また、ユーザがＤＶＤプレーヤ１本体や、セットしたＤＶＤ１０の不良であると勘違いすることも防止できる。
【００３９】
また、映像合成部６は、動作しているとき本体に設定されている再生信号の出力形式の設定内容を、図４に示すように映像の上方に表示するようにしている。このため、通常映像の下方に表示される字幕と、本体の設定内容を示す文字とが重なることがなく、本体の設定内容の表示も見やすい。
【００４０】
また、上記実施形態ではＤＶＤ１０の再生において、チャプタが切り換わると、ｓ３に戻って設定内容を表示するとしたが、チャプタではなくタイトルが切り換わると、ｓ３に戻って設定内容を表示するように構成してもよい。
【００４１】
また、再生中に常時、本体に設定されている再生信号の出力形式を表示させるのではなく、定期的に所定時間だけ表示させるようにしているので、この再生信号の出力形式の表示がユーザの視聴を妨げることもない。
【００４２】
さらに、この再生信号の出力形式の表示が不要であるユーザについては、この表示出力を無効に設定しておけばよいので、このようなユーザについても特に問題が生じることはない。
【００４３】
なお、図３には、入力部８に一時停止や早送り等、他のコードが入力された場合については特に示していないが、入力部８にこれらのコードが入力されたときには、入力されたコードに応じた処理を実行する。
【００４４】
【発明の効果】
以上のように、この発明によれば、本体にセットされている記録媒体の再生時に、定期的に本体に設定されている再生信号の出力形式の内容が表示されるので、ユーザが設定の誤りに気づかずに、再生された映像や音声を視聴しつづけるのを防止できる。また、ユーザが装置本体や、セットした記録媒体の不良であると勘違いすることも防止できる。さらに、再生時に常時、設定内容を表示するのではなく、定期的に表示するようにしているので、視聴しているユーザに不快感を与えることがない。
【図面の簡単な説明】
【図１】この発明の実施形態であるＤＶＤプレーヤの構成を示すブロック図である。
【図２】ＤＶＤに記録されているデータの構成を示す図である。
【図３】この発明の実施形態であるＤＶＤプレーヤにおける再生動作を示すフローチャートである。
【図４】本体に設定されている再生信号の出力形式の表示例を示す図である。
【符号の説明】
１−ＤＶＤプレーヤ
２−制御部
３−読取部
４−データ処理部
５−設定情報記憶部
６−映像合成部
７−出力部
８−入力部
１０−ＤＶＤ
【図１】
2004079070.tif 000003
【図２】
2004079070.tif 000004
【図３】
2004079070.tif 000005
【図４】
2004079070.tif 000006